(57)【特許請求の範囲】
【請求項１】
カメラの固定鏡胴に組み込まれたズームレンズ鏡胴の移動に伴って、ファインダレンズを移動させるカム板を有し、該カム板の動作領域に前記固定鏡胴の直進案内溝の切り欠き部が設けられているカメラのファインダレンズ駆動機構において、
前記カム板の形状をＲ面とし、該Ｒ面の曲率中心をズームレンズ光軸を挟むように前記カム板と反対側に偏芯させ、前記カム板の曲率半径を、前記固定鏡胴の外円周部の半径と前記曲率中心の前記ズームレンズ光軸からの偏芯量の和としたことを特徴とするカメラのファインダレンズ駆動機構。
【発明の詳細な説明】
【０００１】
【発明の属する技術分野】
本発明は、ズームレンズ鏡胴の移動に伴ってファインダレンズを移動させるズームレンズ内蔵カメラのファインダレンズ駆動機構に関する。
【０００２】
【従来の技術】
一般に、レンズシャッタ方式のコンパクトカメラにズームレンズを内蔵した場合、そのファインダも当然ズームレンズの撮影倍率の変化に連動し、ファインダの視野倍率が変化するズームファインダとなる必要がある。そして、その光学系は比較的に簡単なレンズ構成の、例えば図１（ａ）に示すようなファインダ光学系が使用される。
【０００３】
図１（ａ）において、このズームファインダ光学系は、ファインダレンズ１１，１２，１３，１４による視野像を、ミラー１５により９０°曲げてプリズム１６の入射面１６１上に実像として結像させ、この結像させた実像を接眼レンズ１７により見るようにした光学系となっている。そして、ファインダレンズ１１，１４は固定レンズであり、ファインダレンズ１２，１３の間隔を変化させながらその光軸方向位置を変化させるようにしてファインダ画像の倍率が変化するズームファインダとなっている。
【０００４】
このファインダレンズ１２，１３の間隔を変化させながらその光軸方向位置を変化させるために、図１（ｂ）に示すようにカム板２１を使用する。カム板２１には、ファインダレンズ１２，１３の間隔を変化させながらその光軸方向位置を変化させるためのカム溝２１１，２１２が設けられている。ファインダレンズ１２，１３にはそれぞれピン状の突起が出ていて、ファインダレンズ１２の突起はカム溝２１１に、ファインダレンズ１３の突起はカム溝２１２に入り、カム板２１が矢印左右方向に移動することによりファインダレンズ１２，１３は、カム溝２１１，２１２によりそれぞれ前記図示矢印左右方向と直角方向に移動し、ファインダレンズ１２，１３の間隔を変化させながらその光軸方向位置を変化させることになる。
【０００５】
ここで、本発明に関する従来例を、更に図２を含めて説明をする。
【０００６】
カム板２１は図１（ｂ）では平面状に展開して示したが、カメラの狭いスペースの中で出来るだけ場所を取らないように、図２に示すようにズームレンズ鏡胴が組み込まれた固定鏡胴４の上面の筒状部に沿ったスペースに収めるようにしてあり、カム板２１は駆動源により固定鏡胴４の上の鏡胴摺動面を滑って移動するようになっている。
【０００７】
次に、他の従来例を図３により説明するが、図３（ａ）はズームレンズが広角時のズームレンズ光軸より下を省略した鏡胴とファインダの断面図、（ｂ）はカム板及びその周辺の平面図、（ｃ）はズームレンズが望遠時の同じくズームレンズ光軸より上の鏡胴とファインダの断面図、（ｄ）はズームレンズが広角時の別の断面図である。
【０００８】
図３において、鏡胴のカム筒４Ｃ１はズームレンズ光軸５を中心として回転可能であり、固定鏡胴４とヘリコイド嵌合しているカム筒４Ｃ１は、カム筒４Ｃ１の回転により固定鏡胴４に対して繰り出され、又同時にカム筒４Ｃ１とヘリコイド嵌合している鏡胴４Ｃ２も、カム筒４Ｃ１に対して繰り出され、図３（ｃ）の望遠の状態となることが出来、又カム筒４Ｃ１を逆転すれば図３（ａ）の広角の状態となることが出来る。
【０００９】
そして、カム筒４Ｃ１に回動自在に取り付けられ、カム筒４Ｃ１が回転しても自身は回転せず直進のみ行うリング４６に植設された突起であるピン４５は、固定鏡胴４に設けたズームレンズ光軸５に平行な直進溝４４に沿い、ズームレンズの繰り出しに従って図示矢印右方向に移動する。そして、図３（ｃ）に示すように、ズームレンズが望遠時においてはピン４５は直進溝４４の右端に進んで来ている。又その時、カメラの固定鏡胴４やカム板２１の先端はファインダカバー１８の突出部１８１に覆われている。
【００１０】
次に、その他の従来例を図３（ｂ）により説明するが、カム板２１は該カム板２１を案内する案内突堤４３により鏡胴のズームレンズ光軸５に対して直角方向の矢印上下方向に案内駆動される。即ち、カム板２１はカム板２１の裏面に設けられた点線で示す直線状のカム板駆動溝２１４に、前記カム筒４Ｃ１の回転移動により直進移動するピン４５が嵌合摺動し、カム板２１を矢印上下方向に駆動させる。
【００１１】
【発明が解決しようとする課題】
本発明に関する課題の説明をする。
【００１２】
図１、図２において、前述のようにファインダレンズ１２，１３が、カム板２１により駆動されてズームファインダを構成している時、ファインダレンズ１２，１３は滑らかに、軽く、容易に駆動されることが好ましい。ファインダレンズ１２，１３が滑らかに、軽く、容易に駆動されないと、ファインダの像が滑らかに拡大・縮小せずに、ぎくしゃくした拡大・縮小像となっていまう。
【００１３】
前述の如く、カム板２１の矢印方向（図１（ｂ）に示す）の移動によってカム溝２１１，２１２に入っているファインダレンズ１２，１３のピンを矢印方向に対し直角方向（ファインダレンズ１２，１３の光軸方向）に動かすのであるから、カム溝の溝方向は出来るだけカム板移動方向と平行であるほど、換言すればカム溝の方向とカム板の移動方向とのなす角度が小さい程、ファインダレンズは滑らかに且つ小さな力で動けることになる。
【００１４】
しかし、ファインダレンズを所定距離だけ移動するためには、カム溝の方向とカム板の移動方向の為す角度を小さくするほどカム板の移動距離を大きくする必要がある。即ち、カム板の移動可能範囲Ｒ１を大きく出来ることが望まれる。
【００１５】
一方、固定鏡胴４の内面にはズームレンズをズームレンズ光軸５に沿って直進移動するための案内溝として、切り欠き部４１が設けられていて、切り欠き部４１が固定鏡胴４の外周より外側に突出しているためにカム板２１の移動可能範囲Ｒ１を大きくするのを妨げている。勿論カム板面半径ＲＡの寸法を大きくし、前記切り欠き部４１を乗り越えた半径寸法とすると、カム板２１の移動可能範囲Ｒ１を大きくすることが出来るが、当然カム板面半径ＲＡの寸法を大きくした寸法だけ鏡胴の高さが高くなり、従ってカメラの高さも高くなりカメラが大きくなることになる。
【００１６】
本発明は、前記課題を解決するためになされたものである。即ち、カメラの大きさを大きくしないで、ファインダレンズを滑らかに、軽く、容易に駆動させるファインダレンズ駆動機構を提供することを目的としたものである。
【００２４】
【課題を解決するための手段】
本発明の目的は、下記構成を採ることによって達成される。
【００２５】
即ち、本発明の構成は、カメラの固定鏡胴に組み込まれたズームレンズ鏡胴の移動に伴って、ファインダレンズを移動させるカム板を有し、該カム板の動作領域に前記固定鏡胴の直進案内溝の切り欠き部が設けられているカメラのファインダレンズ駆動機構において、前記カム板の形状をＲ面とし、該Ｒ面の曲率中心をズームレンズ光軸を挟むように前記カム板と反対側に偏芯させ、前記カム板の曲率半径を、前記固定鏡胴の外円周部の半径と前記曲率中心の前記ズームレンズ光軸からの偏芯量の和としたことを特徴とするカメラのファインダレンズ駆動機構とする。
【００２８】
【発明の実施の形態】
次に、本発明の実施の形態を図４、図５により詳細に説明する。
【００２９】
図４は本実施の形態を説明する固定鏡胴の正面図である。図５は本実施の形態を説明する固定鏡胴周辺、ファインダ部の分解斜視図である。
【００３０】
図４、図５において、カム板２１のカム板面半径ＲＢは、曲率中心をズームレンズ鏡胴が組み込まれた固定鏡胴４のズームレンズ光軸５に対し偏芯量Ｂだけ下がった偏芯位置を曲率中心とした半径とし、この曲率中心を中心としてカム板２１を回転させてファインダレンズ１２，１３を駆動するようにしている。このようにすることにより、カム板２１は図示のように切り欠き部４１を避けていて、且つ移動可能範囲は図示のようにカム板２１が本体壁に当たる位置まで広がるので、従来例の移動可能範囲Ｒ１より、本実施の形態の移動可能範囲Ｒ２へと大きくすることが出来ている。
【００３１】
即ち、カム板２１の移動可能範囲を、Ｒ１からＲ２へと大きくすることによって、ファインダレンズ１２，１３を移動するカム溝２１１，２１２の、カム板２１の図示矢印の移動方向との為す角度をなだらかにすることができ、従ってファインダレンズ１２，１３の移動を滑らかに、軽く、容易にすることができるようになっている。
【００３２】
ここで、カム板２１とファインダレンズ１２，１３の移動、駆動について更に若干説明する。
【００３３】
図５において、固定鏡胴４の側面には鏡胴ギヤ地板４２が取り付けられていて、この鏡胴ギヤ地板４２にはギヤ３１が取り付けられたモータ３０が設置され、このギヤ３１にはギヤ３２，３３，３４，３５，３６，３７が順次互いに噛み合わされ、ギヤ列を形成している。最後のギヤ３７は図示せざるズームレンズギヤと噛み合い、固定鏡胴４に組み込まれる図示せざるズームレンズ鏡胴のズーム作動を行うようになっている。又、途中のギヤ３４の軸の先端には、カム板２１のカム板ギヤ２１３と噛み合うギヤ３４１が取り付けられている。
【００３４】
一方、カム板２１のカム溝２１１にはファインダレンズ１２のレンズピン１２１が、カム溝２１２にはファインダレンズ１３のレンズピン１３１が挿入され、カム板２１が固定鏡胴４の上部のカム板２１と同一半径の鏡胴摺動面４０１に沿って左右に回転摺動移動すれば、ファインダレンズ１２，１３はカム溝２１１，２１２によって、前記左右の回転摺動移動に対して直角方向に移動することが出来るようになっている。
【００３５】
そこで、モータ３０を駆動することにより、ズームレンズのズーム作動を行うと同時に、カム板２１がギヤ３４１により左右に回転摺動移動し、ファインダレンズ１２，１３を駆動してズームファインダのズーム作動を行うことになる。
【００３６】
以上がカム板２１とファインダレンズ１２，１３の移動、駆動についての説明であるが、このようにファインダレンズ１２，１３を移動、駆動するカム板２１を、前述のように偏芯することにより、固定鏡胴４のズームレンズ光軸５からカム板２１の上面までの高さＨ２は、従来例の図２で示す固定鏡胴４のズームレンズ光軸５からカム板２１の上面までの高さＨ１とは変わらない。従って、カメラの高さも変わらない。
【００３７】
即ち、カメラの高さを変える事なく、カメラの大きさを大きくしないで、ファインダレンズの移動を滑らかに、軽く、容易にすることができる。そして、前記発明の説明において、移動するファインダレンズが２枚のファインダレンズで説明したが、ファインダレンズの枚数は必ずしも２枚に限ることはなく、何枚でも良い。
【００３８】
更に、ズームレンズのズーム比が更に大きいズームレンズを使用する場合のズームファインダレンズ用として、前述のファインダレンズ駆動機構を採用することにより、容易にズーム比の更に大きいズームファインダを得ることが可能である。尚、カム板２１の駆動は、前述のギヤ駆動以外に後述する第２、第３の発明において説明するピン駆動でも良い。
【００３９】
次に、他の実施の形態を図６により詳細に説明する。
【００４０】
図６は本実施の形態を説明する図で、（ａ）はズームレンズが広角時のズームレンズ光軸より下を省略した鏡胴とファインダの断面図、（ｂ）はズームレンズが望遠時のカム板及びその周辺の平面図、（ｃ）はズームレンズが望遠時の同じくズームレンズ光軸より上の鏡胴とファインダの断面図である。
【００４１】
図６において、カム板２１の裏面に設けられた点線で示す部分はカム板駆動溝２１４であり、その望遠側端は開放されている。即ち、図３で説明した従来例の場合と同様に、ユーザの広角から望遠へのズーム操作により、鏡胴のカム筒４Ｃ１にズームレンズ光軸５を中心として回動自在に取り付けられ、カム筒４Ｃ１が回転しても自身は回転せず直進のみ行うリング４６に植設され、カム板２１のカム板駆動溝２１４に嵌合摺動する突起であるピン４５は、固定鏡胴４に設けたズームレンズ光軸５に平行な直進溝４４に沿い、ズームレンズの繰り出し操作に従って図示矢印右方向に移動する。そして図示のように、ズームレンズが望遠時においてはピン４５は直進溝４４の右端に移動してくる。即ち、図６（ｂ）においては、カム板２１は図示矢印上方向のズームレンズ鏡胴の光軸方向移動と直角方向に一杯に駆動され、ピン４５はカム板駆動溝２１４の望遠側端から出てカム板２１から離脱し、図示位置に移動することになる。
【００４２】
言い換えると、本実施の形態のズームレンズ鏡胴は、非望遠位置であって前記ピン４５がカム板駆動溝２１４の望遠側端においてカム板２１から離脱する第１の位置と、この第１の位置より更に繰り出され望遠位置となる第２の位置を有し、ズームレンズ鏡胴の前記第１位置において、ファインダレンズは望遠位置となるようになっている。
【００４３】
このようにズームレンズ鏡胴の第１の位置、即ちピン４５がカム板駆動溝２１４の終端である望遠側端にあるときは、ズームレンズ鏡胴は望遠位置には至っていないが、ファインダの視野は望遠時の視野を示している。更にピン４５がカム板駆動溝２１４から離脱し、ズームレンズ鏡胴が終端まで移動すると望遠位置即ち第２の位置に位置するようになっている。ズームレンズ鏡胴が望遠位置に位置したときのファインダの視野は、前記カム板駆動溝２１４の終端である望遠側端において、前記ピン４５がカム板駆動溝２１４から離脱しており、カム板は動いていないので、離脱した時の望遠の視野を維持している。
【００４４】
そして、本実施の形態においては、ピン４５のみがファインダカバー１８の突出部１８１の下にあるが、カム板２１の右側はファインダカバー１８の突出部１８１の下にはない狭い幅となっていて、カム板２１を案内する案内突堤４３も、ファインダカバー１８の突出部１８１の下にはなく、前記突出部１８１はピン４５の移動を妨げない図示位置までその高さを下げることが出来るようになっている。即ち、カメラの高さ（この場合のカメラの高さは、従来例でも述べた通りのズームレンズ光軸５からファインダカバー１８の最上面迄の高さ）Ｈ４は、従来例で述べたカメラの高さＨ３より低くなっているが、ファインダカバー１８の突出部１８１は、ズームレンズが広角時の視野光Ｌ１をけることがなくなり、更にカム板２１が小さくなるので、それだけカメラを小型に出来ることになる。
【００４５】
又本実施の形態は、例えば２倍程度のズーム比を３倍、４倍と言った更に大きいズーム比のズームレンズを撮影レンズとして使用する場合のズームファインダレンズ用として、カム板２１をズーム比が増加する割合程大きくする必要は無いので、高ズーム比のカメラに適用するほどカメラの大型化の防止に効果を奏する。
【００４６】
尚、本実施の形態においてのズームレンズ鏡胴の位置とファインダの視野の関係についてであるが、前述のごとく、ズームレンズ鏡胴がまだ望遠位置に至っていない前記第１の位置においては、ファインダの視野は既に望遠の視野を示しており、正確には鏡胴の有する焦点距離どうりのファインダ視野になっていない構成となっている。しかしその差は僅かであり、仮に撮影者がこの第１の位置でズームレンズ鏡胴を停止させ、ファインダの視野で撮影領域を確認し、被写体を撮影したとしても、ファインダの視野と撮影された領域との差は無視できる程度のものである。
【００４７】
又、ズームカメラであってもズームレンズをステップ的に停止させるズームカメラ、即ちズームレンズを所定の複数のステップで停止させ、その停止した位置の焦点距離でのみ撮影できるようにしたズームカメラに上記構成を採用することにより、上記不具合を撮影者に認識させることなく撮影を行うことができる。
【００４８】
即ち、複数の停止位置の一部を設定する際に、前記第１の位置には停止させずその前後の位置（例えば、第１の位置より焦点距離の短い非望遠位置と第１の位置より焦点距離の長い望遠位置）で停止させ撮影でにるように設定し、前記前後の位置ではズームレンズの焦点距離とその時のファインダの視野を合わせるようにしておけば、前記第１の位置でズームレンズ鏡胴が停止することが無く、かつその前後の停止位置ではズームレンズの焦点距離とその時のファインダの視野が合っているので、ファインダの視野と撮影された領域とで僅かな差が生じるという上記不具合が起きることなく、小型のカメラを達成することが出来る。
【００４９】
尚、図６（ｂ）において、カム板駆動溝２１４の望遠側端は溝端２１４Ｅが広がりを持ったカム溝となっていて、このような形状とすることにより、ズームレンズを望遠側から広角側にズーミングするときに、ピン４５をカム板駆動溝２１４に嵌合摺動させる時の嵌合挿入を容易にすることが出来る。又、このカム板２１が望遠の図示位置においては、その状態を維持するためにカメラ本体に取り付けたクリックばね２１６により、カム板２１のＶ溝２１５を図示のように係止させるようにしている。従って、このようにすることにより、カム板２１は望遠時には常にこの位置に位置決めされているので、ピン４５はカム板駆動溝２１４に入り易くなり、ピン４５がこのカム板駆動溝２１４に入れば、カム板２１はピン４５の左方向の移動に伴って矢印下方向に移動し、クリックばね２１６からカム板２１のＶ溝２１５は離脱し、カム板２１はズームファインダのレンズを広角側に移動させることになる。
【００５０】
次に、その他の実施の形態を図７により詳細に説明する。
【００５１】
図７は本実施の形態を説明するカム板の図で、（ａ）は本実施の形態を説明する比較例としての従来例のカム板の平面図、（ｂ）は本実施の形態を説明するカム板の平面図、（ｃ）は別の実施の形態を説明するカム板の平面図である。
【００５２】
図７（ｂ）において、カム板２１Ｎ１は図６（図７では図示を省略したが、図６で説明した鏡胴のカム筒に設けられ、ズームレンズのズーム操作に従って、ズームレンズ光軸と平行な方向に移動する鏡胴の突起であるピン４５等は図６がそのまま適用されるものとする）で説明した突起であるピン４５の移動により、カム板２１Ｎ１をズームレンズ鏡胴の光軸方向移動と直角ではない方向に移動させる案内の案内突堤４３Ｎ及び直線のカム板駆動溝２１４Ｎにより、図示矢印方向に駆動される。
【００５３】
カム板２１Ｎ１はカム板駆動溝２１４Ｎにより駆動されるので、カム板２１Ｎ１により占められる動きを含めた占有面積は、従来例のカム板２１により占められる動きを含めた占有面積より小さくてすむ。即ち、従来例のカム板２１は矩形であるが、本実施の形態のカム板２１Ｎ１は菱形である。そしてカム板２１Ｎ１は、従来のカム板２１に対して角度θだけ傾斜して動くことになる。従って、カム溝２１１Ｎ，２１２Ｎにより動かされるファインダレンズは、前記傾斜角θによる動きが加算された動きとなる。従ってカム板２１Ｎ１は、その分だけ小さくてすむことになるので動きを含めた占有面積は小さくてすむことになる。そこで、その小さくなった分だけ、他の部品、部材を配置可能となり、それだけカメラを小型化可能となる。
【００５４】
図７（ｃ）は、カム板駆動溝２１４Ｎの代わりにカム板ギヤ２１３Ｎをカム板２１Ｎ２の端部に設け、図示せざる動力源により駆動されるギヤ３４１によりカム板２１Ｎ２を駆動するものである。尚、図５で説明したギヤ３４１により駆動することも可能である。
【００５５】
【発明の効果】
本発明により、カメラの大きさを大きくしないで、ズームファインダレンズを滑らかに、軽く、容易に駆動するファインダレンズ駆動機構が提供されることとなった。
【００５６】
又、本実施の形態により、ズームファインダがけられることなく、しかも小型のカメラとなるファインダレンズ駆動機構が提供されることとなった。そして更に、本発明はズーム比が更に大きいズームレンズを使用する場合のズームファインダレンズ用として、容易に適用可能である。
【００５７】
又、本実施の形態により、ズームレンズのズーム比を大きくするのにファインダレンズのカム板が大きくなることを防ぎ、カメラを更に小型化するためにファインダレンズのカム板を小型化するファインダレンズ駆動機構が提供されることとなった。
【図面の簡単な説明】
【図１】  ズームファインダ光学系とカム板の説明図である。
【図２】  本発明に関する従来のカメラの固定鏡胴の正面図である。
【図３】  本実施の形態に関する従来のカメラの主として鏡胴、ファインダの断面図である。
【図４】  本発明に関する実施の形態を説明する固定鏡胴の正面図である。
【図５】  本発明に関する実施の形態を説明する固定鏡胴周辺、ファインダ部の分解斜視図である。
【図６】  本実施の形態を説明する鏡胴、ファインダの断面図及びカム板の平面図である。
【図７】  本実施の形態を説明するカム板の平面図である。
【符号の説明】
１  ファインダレンズ駆動機構
１１，１２，１３，１４  ファインダレンズ
２１，２１Ｎ１，２１Ｎ２  カム板
２１１，２１２  カム溝
２１３，２１３Ｎ  カム板ギヤ
２１４，２１４Ｎ  カム板駆動溝
４  固定鏡胴
４０１  鏡胴摺動面
４Ｃ１  カム筒
４３，４３Ｎ  案内突堤
４４  直進溝
４５  ピン
５  ズームレンズ光軸
Ｂ  偏芯量
Ｈ１，Ｈ２，Ｈ３，Ｈ４  高さ
Ｌ１  広角時の視野光
Ｒ１，Ｒ２  移動可能範囲
ＲＡ，ＲＢ  カム板面半径
【図１】
0003777843.tif 000002
【図２】
0003777843.tif 000003
【図３】
0003777843.tif 000004
【図４】
0003777843.tif 000005
【図５】
0003777843.tif 000006
【図６】
0003777843.tif 000007
【図７】
0003777843.tif 000008